(57)【要約】【課題】既存の建物に床からの熱損失を低減して断熱性能を向上させるための床断熱リフォームを簡便に施工することができる、床下空間の断熱方法および床下空間の断熱構造を提供すること。【解決手段】本発明は、建物の基礎の立上り部に床下換気口を有する床下空間の断熱方法であって、流体が充填された際に柱状に膨張する袋体を膨張前の状態で前記床下換気口から前記床下空間の内部に挿入する挿入工程と、前記袋体を前記床下空間の外周に沿うように配置する配置工程と、前記床下換気口から前記袋体の内部に流動性を有する断熱材を充填して柱状の断熱部材を形成する充填工程と、を備える、床下空間の断熱方法である。【選択図】図７
2020033809.tif 000002
【特許請求の範囲】
【請求項１】
建物の基礎の立上り部に床下換気口を有する床下空間の断熱方法であって、
流体が充填された際に柱状に膨張する袋体を膨張前の状態で前記床下換気口から前記床下空間の内部に挿入する挿入工程と、
前記袋体を前記床下空間の外周に沿うように配置する配置工程と、
前記床下換気口から前記袋体の内部に流動性を有する断熱材を充填して柱状の断熱部材を形成する充填工程と、を備える、
床下空間の断熱方法。
【請求項２】
前記挿入工程において、膨張前の前記袋体にガイド棒を取り付けた後、前記床下換気口から前記ガイド棒と共に前記袋体を挿入する、
請求項１に記載の床下空間の断熱方法。
【請求項３】
前記配置工程において、前記ガイド棒を前記立上り部の内側に沿わせながら移動し、前記袋体を前記立上り部の内側に並置させる、
請求項２に記載の床下空間の断熱方法。
【請求項４】
前記充填工程において、気体と断熱材とが混合された混合気体を前記袋体の内部に流入させ、前記袋体を膨張させながら前記袋体の内部に前記断熱材を充填する、
請求項１から３のうちいずれか１項に記載の床下空間の断熱方法。
【請求項５】
前記充填工程において、送風装置に接続されたホースを前記袋体の内部に挿入し、前記ホースの先端を前記袋体の内部の端部領域に配置した後、前記送風装置を稼働させ、前記ホースから前記袋体の内部に前記断熱材と気体との混合気体を送風して前記断熱材を充填しながら前記ホースを引き抜く方向に移動させる、
請求項１から４のうちいずれか１項に記載の床下空間の断熱方法。
【請求項６】
前記挿入工程の前に、前記床下空間の地盤面に、気体の充填によりマット状に展開する防湿性のシート体を敷設する敷設工程を更に備え、
前記敷設工程は、前記床下換気口から膨張前の巻回された前記シート体を挿入した後、前記シート体の内部に気体を充填して前記シート体を膨張させると共に、前記シート体を前記地盤面上に転がしながら展開させて敷設する、
請求項１から５のうちいずれか１項に記載の床下空間の断熱方法。
【請求項７】
前記充填工程の後、前記床下換気口に前記床下空間の空気を排出するための換気装置を設置すると共に、外部と連通する前記基礎に設けられた他の床下換気口を蓋で塞ぐ設置工程を更に備える、
請求項１から６のうちいずれか１項に記載の床下空間の断熱方法。
【請求項８】
前記設置工程の後、前記換気装置を稼働させ、前記床下空間の内部の空気を外部に排出すると共に、室内の空気を床下に導入させる換気工程を更に備える、
請求項７に記載の床下空間の断熱方法。
【請求項９】
チューブ状の袋体と、
前記袋体の内部に充填された断熱材と、を備え、
前記袋体は、前記断熱材が充填された状態で柱状に膨張し、床下空間において前記床下空間の外周に沿った基礎の立上り部に並置される、
床下空間の断熱構造。
【請求項１０】
前記断熱部材が載置されるように前記床下空間の地盤面に敷設された防湿性を有するシート体を更に備え、
前記シート体は、気体の充填によりマット状に展開する、
請求項９に記載の床下空間の断熱構造。
【発明の詳細な説明】
【技術分野】
【０００１】
本発明は、建物の床下を断熱するための床下空間の断熱方法および床下空間の断熱構造に関するものである。
【背景技術】
【０００２】
近年、建物の居住環境の改善とエネルギー効率の改善を目的として、建物の床下の断熱性を向上するための床下断熱構造が知られている（例えば、特許文献１）。この床下断熱構造は、床材の下面と地面（コンクリート面）との間に板状の断熱材を配置して床下の断熱を実現している。
【先行技術文献】
【特許文献】
【０００３】
【特許文献１】特開２００１−０１１９９７号公報
【発明の概要】
【発明が解決しようとする課題】
【０００４】
床断熱が施工されていない既存建物の断熱性能を向上させるために、床下に断熱材を設置する床断熱リフォームが行われる。特許文献１に記載された技術は、新築の建物に対して床下断熱構造の施工を行うことが想定されており、既存の建物の床断熱リフォームに適用しようとすると、床材を剥がす等の大掛かりな施工が必要となり、工期が長くなると共に、施工費も高くなる可能性がある。
【０００５】
そこで、本発明は、上述した事情に考慮してなされたものであり、既存の建物に床からの熱損失を低減して断熱性能を向上させるための床断熱リフォームを簡便に施工することができる、床下空間の断熱方法および断熱部材を提供することを目的とする。
【課題を解決するための手段】
【０００６】
上記課題を解決するために、本発明は以下の態様を採用した。
【０００７】
本発明の一態様に係る床下空間の断熱方法は、建物の基礎の立上り部に床下換気口を有する床下空間の断熱方法であって、流体が充填された際に柱状に膨張する袋体を膨張前の状態で前記床下換気口から前記床下空間の内部に挿入する挿入工程と、前記袋体を前記床下空間の外周に沿うように配置する配置工程と、前記床下換気口から前記袋体の内部に流動性を有する断熱材を充填して柱状の断熱部材を形成する充填工程と、を備える。
【０００８】
本態様によれば、建物の外部に位置する作業者が膨張前の袋体を床下換気口から挿入した後に、床下空間の中で袋体の内部に断熱材を充填して袋体を膨張させて断熱部材を形成することで、建物の居室内に影響を与えずに床断熱リフォームを施工することができる。また、断熱部材は、外気の影響を受けやすい床下空間の外周部に設置されるため、断熱材の使用量を低減して施工コストを低減することができる。
【０００９】
本発明の一態様に係る床下空間の断熱方法は、前記挿入工程において、膨張前の前記袋体にガイド棒を取り付けた後、前記床下換気口から前記ガイド棒と共に前記袋体を挿入するように構成されている。
【００１０】
本態様によれば、ガイド棒を袋体に取り付けることにより、ガイド棒と共に袋体を床下換気口から床下空間に挿入することを簡便にすることができる。
【００１１】
本発明の一態様に係る床下空間の断熱方法は、前記配置工程において、前記ガイド棒を前記立上り部の内側に沿わせながら移動し、前記袋体を前記立上り部の内側に並置させるように構成されている。
【００１２】
本態様によれば、袋体が取り付けられたガイド棒を床下換気口の外側から移動させることができ、袋体を立上り部の内側などの設計上の所定位置に並置させることができる。
【００１３】
本発明の一態様に係る床下空間の断熱方法は、前記充填工程において、空気等の気体と断熱材とが混合された混合気体を前記袋体の内部に流入させ、前記袋体を膨張させながら前記袋体の内部に前記断熱材を充填するように構成されている。
【００１４】
本態様によれば、袋体の内部に気体と断熱材とが混合された混合気体を流入させることにより、気体の送風により、袋体を膨張させる共に気体に混合された断熱材が袋体の内部に流入して蓄積されることにより、断熱材を袋体の内部に簡便に充填および圧入することができる。また、本態様によれば、断熱材が袋体の内部に充填されているため、断熱部材を入れ替える際に回収方法を容易とすることができる。
【００１５】
本発明の一態様に係る床下空間の断熱方法は、前記充填工程において、送風装置に接続されたホースを前記袋体の内部に挿入し、前記ホースの先端を前記袋体の内部の端部領域に配置した後、前記送風装置を稼働させ、前記ホースから前記袋体の内部に前記断熱材と気体との混合気体を送風して前記断熱材を充填しながら前記ホースを引き抜く方向に移動させるように構成されている。
【００１６】
本態様によれば、袋体の内部において端部から断熱材を効率的に充填することができる。
【００１７】
本発明の一態様に係る床下空間の断熱方法は、前記挿入工程の前に、前記床下空間の地盤面に、気体の充填によりマット状に展開する防湿性のシート体を敷設する敷設工程を更に備え、前記敷設工程は、前記床下換気口から膨張前の巻回された前記シート体を挿入した後、前記シート体の内部に気体を充填して前記シート体を膨張させると共に、前記シート体を前記地盤面上に転がしながら展開させて敷設するように構成されている。
【００１８】
本態様によれば、床下空間において地盤面がむき出しの状態である場合に、地盤面に敷設される防湿性のシート体を床下換気口から挿入することができる。また、膨張前のシート体が巻回されていることにより、袋体を床下換気口から床下空間の中に挿入することができる。そして、袋体の内部に気体が充填された際に袋体がマット状に展開されることにより、シート体を地盤面上に敷設することができる。また、巻回されたシート体を気体により膨張させながら展開させることにより、地盤面に凹凸や起伏が存在してもシート体がそれらを乗り越えて自走させることができる。
【００１９】
本発明の一態様に係る床下空間の断熱方法は、前記充填工程の後、前記床下換気口に前記床下空間の空気を排出するための換気装置を設置すると共に、外部と連通する前記基礎に設けられた他の床下換気口を蓋で塞ぐ設置工程を更に備えるよう構成されている。
【００２０】
本態様によれば、蓋により外気と床下空間とを遮断して換気装置が床下空間の空気を排出することで、余剰な水分により床下空間が高湿度環境に長時間保持されることを防止することができる。
【００２１】
本発明の一態様に係る床下空間の断熱方法は、前記設置工程の後、前記換気装置を稼働させ、前記床下空間の内部の空気を外部に排出すると共に、室内の空気を床下に導入させる換気工程を更に備えるよう構成されている。
【００２２】
本態様によれば、換気装置を稼働することで居室内の空調された空気を床下空間に導入して床下の空気の温度を居室内の空気の温度に近づけるこができ、床面を快適な温度に保つことができる。
【００２３】
本発明の一態様に係る床下空間の断熱構造は、チューブ状の袋体と、前記袋体の内部に充填された断熱材と、を備え、前記袋体は、前記断熱材が充填された状態で柱状に膨張し、床下空間において前記床下空間の外周に沿った基礎の立上り部に並置される、断熱部材である。
【００２４】
本態様によれば、居室内に影響を及ぼすことなく、建物の外部から床下換気口を介して床下空間に熱損失を低減するための断熱部材を設置することができる。
【００２５】
本発明の一態様に係る床下空間の断熱構造は、前記断熱部材が載置されるように前記床下空間の地盤面に敷設された防湿性を有するシート体を更に備え、前記シート体は、気体の充填によりマット状に展開するよう構成されている。
【００２６】
本態様によれば、床下空間の地盤面が露出している場合、居室内に影響を及ぼすことなく、建物の外部から床下換気口を介して地盤面に防湿性を有するシート体を敷設することができる。
【発明の効果】
【００２７】
本発明の一態様によれば、床下空間の断熱方法および床下空間の断熱構造を適用して既存の建物に床からの熱損失を低減して断熱性能を向上させるための床断熱リフォームを簡便に施工することができる。
【図面の簡単な説明】
【００２８】
【図１】本発明の実施形態に係る床下空間の断熱方法が適用される対象の建物の基礎の構成の一例を示す斜視図である。
【図２】床下空間の断熱方法が適用される対象の布基礎の構成の一例を示す断面図である。
【図３】床下空間の地盤面に敷設されるシート体の構成の一例を示す平面図である。
【図４】シート体の敷設工程の過程を示す図である。
【図５】布基礎の立上り部の内側に配置される袋体の構成の一例を示す平面図である。
【図６】床下空間内に袋体を配置した状態の一例を示す斜視図である。
【図７】袋体の内部に断熱材を充填して断熱部材が形成された状態を示す図である。
【発明を実施するための形態】
【００２９】
以下、図面を参照にしつつ、本発明に係る床下空間の断熱方法および床下空間の断熱構造の実施形態について説明する。
【００３０】
図１および図２に示されるように、既設の建物の基礎１には、床断熱が施工されていないものがある。床下空間の断熱方法は、例えば、布基礎２に適用されて床断熱リフォームが行われる。後述の断熱部材は、例えば布基礎２の内側の床下空間Ｓに設置される。
【００３１】
布基礎２は、地盤面Ｅから上方に向かって立設された立上り部２ａが連続壁状に形成されてなるコンクリート製の基礎である。布基礎２は、断面が逆Ｔ字型に形成されている。布基礎２は、鉛直方向に立設する立上り部２ａと、断面方向から見て立上り部２ａに直交方向に形成され、立上り部２ａの底部に沿って延在するフーチング部２ｂとを備える。フーチング部２ｂは、地盤面Ｅより低い地中に埋設されている。
【００３２】
立上り部２ａは、例えば、建物の床面の形状に応じて設けられている。立上り部２ａは、例えば、平面方向から見て矩形の板状の床スラブ１０の周囲を支持するように矩形に配置されている。立上り部２ａは、例えば、地盤面Ｅからの高さが４００［ｍｍ］程度になるように形成されている。床スラブ１０は、建物の床面積やレイアウトに応じて複数個配置される。床スラブ１０は、例えば、セメントで成形されたＡＬＣ（Autoclaved Light-weight Concrete）板である。
【００３３】
床スラブ１０の下部には、略矩形の地盤面Ｅの周囲を囲うように配置された立上り部２ａと、略矩形の床スラブ１０の底面と、略矩形の地盤面Ｅとにより囲まれた略直方体形状の床下空間Ｓが形成される。
【００３４】
対向する一対の立上り部２ａの中間部には、床スラブを支持する小梁が設けられていてもよい。床スラブ１０は、束で支持されていないことが望ましい。特に、建物の外部空間に接する立上り部２ａの内側に沿って束が存在しないことが望ましい。
【００３５】
床下空間Ｓは、地盤面Ｅが露出している場合があり、地盤表面から床下に湿気が侵入することが懸念される。そのため、床下空間Ｓの外周における一辺の立上り部２ａには、床下空間Ｓを換気するために少なくとも一つの床下換気口３が設けられている。一対の立上り部２ａの中間部に小梁がある場合には、立上り部２ａにおいて小梁で分断された範囲にそれぞれ１つの床下換気口３が設けられている。
【００３６】
床下換気口３は、例えば、外部と床下空間Ｓを連通させるように形成された矩形の貫通孔である。床下換気口３は、例えば、高さ１００［ｍｍ］×幅３００［ｍｍ］程度の大きさで規格化されている。
【００３７】
床下空間Ｓは、空気が床下換気口３から出入りするため、外気に晒されている。既存の建物によっては、床断熱が施工されていないものがあり、冬場など外気温が室内温度に比して低い場合、床下空間Ｓに外気が出入りすると、床を通じて室内の熱が逃げ、床の温度が下がり、床表面や足元が冷たく感じる場合がある。そのため、建物の居住性と暖冷房効率を向上させるため、熱損失を低減させる床断熱リフォームが施工される場合がある。
【００３８】
床下空間Ｓの断熱方法は、例えば、布基礎２を備える既存の建物の床断熱リフォーム等の断熱改修工事に適用される。既存の建物は、居住者が生活しているため、なるべく居住者の生活に影響を与えずに断熱改修工事が施工されることが望ましい。床下空間の断熱方法では、建物内部で家具等を移動する等の生活への影響がなく、建物外部から断熱改修工事の施工を可能としている。
【００３９】
床下空間の断熱方法においては、例えば、床下換気口３から断熱部材の資材の搬入を行い、施工作業の終了まで床下換気口３を通じて行う。床下換気口３には、小動物などが床下空間Ｓに侵入しないように格子３ａが取り付けられている。格子３ａは、例えば、立上り部２ａに形成された床下換気口３に嵌め込まれている。格子３ａは、立上り部２ａのコンクリートの打設時に予め複数の鋼棒を並置して立上り部２ａと一体に設けられている場合があり、また、格子３ａの代わりに網が用いられている場合もある。
【００４０】
格子３ａは、例えば外部空間から床下空間Ｓへのアクセスを可能とする通路を確保するために、床下換気口３から取り外される。格子３ａが床下換気口３と一体に形成されている場合、格子３ａは切断により撤去される。格子３ａが撤去されると、床下換気口３は、断熱部材の資材の搬入口となると共に、作業用スペースとなる。床下換気口３の縁は、断熱部材の資材等を搬入するためにシート状のもので養生される。
【００４１】
次に、床下空間の断熱構造における断熱部材の設置方法について説明する。床下空間Ｓは、地盤面Ｅが露出しているので、先ず、地盤面Ｅを覆うための防湿性かつ、防水性を有するシート体２０を敷設する。シート体２０は、床下換気口３から搬入されると共に、床下空間Ｓの地盤面Ｅに展開されて敷設されるように構成されている。
【００４２】
図３に示されるように、シート体２０は、例えば、２枚の矩形のポリエチレン製のシート２１，２２の周囲が溶着されて袋状に形成されている。シート体２０は、一枚のポリエチレン製のシートを折り曲げて周囲の三辺を溶着して形成されてもよいし、チューブ状のシートを潰した状態で両側の二辺を溶着して形成されてもよい。シート体２０は、例えば、厚さが０．２［ｍｍ］程度である。
【００４３】
周囲が溶着された２枚のシート２１，２２は、短辺方向に平行に複数の線状の仕切り２３が形成されている。仕切り２３は、２枚のシート２１，２２が互いに溶着されて形成された線状の複数の溶着部２４と、溶着されていない気道２５とを備える。複数の溶着部２４の間には、気道２５が所定の間隔で配置されている。これにより、シート体２０には、軸線が短辺方向に沿った多数のセル２６が隣接して形成されている。
【００４４】
シート体２０の２つの短辺の一端側には溶着されていない吸気口２７が設けられている。吸気口２７から気体を流入させると、例えば、セル２６が略円柱状に膨張する。そして、膨張を終えたセル２６の各気道２５から気体が隣接するセル２６に流入し、隣接するセル２６も略円柱状に膨張する。全てのセル２６が膨張すると、シート体２０は、マット状に膨張する。シート体２０の長手方向の長さは、例えば、地盤面Ｅの一辺の長さとなるように形成されている。
【００４５】
このような構成の膨張前のシート体２０を吸気口２７が端部として現れるように長手方向に沿って巻回する。シート体２０の巻回方向は、短手方向に沿った方向でもよい。巻回方向は、シート体２０の大きさや形状、施工場所の状態に応じて適宜決定され、吸気口２７の位置も、それに応じて適宜決定される。そのため、吸気口２７は、シート体２０の長辺側の任意の位置に設けられていてもよい。
【００４６】
図４（１）に示されるように、作業者は、巻回されたシート体２０を床下換気口３から、挿入する。次に、作業者は、図４（２）に示されるように、シート体２０の吸気口２７にホースＨの一端を接続し、床下換気口３を通過させてホースＨの他端を建物の外部に配置されたブロワＢの送風口に接続する。そして、作業者は、ブロワＢを稼働させてシート体２０の内部に気体（空気）を充填して手前側のセル２６から順次、円筒状に膨張させる。気体は、ボンベに充填された圧縮性のガスを用いて体２０の内部に充填するようにしてもよいし、もしくは非圧縮性の液体をシート体２０の内部に充填するようにしてもよい。
【００４７】
隣接するセル２６を順次膨張させ、巻回されたシート体２０を膨張したセル２６に押し上げさせて、地盤面Ｅに転がり始めさせる。即ち、作業者は、シート体２０の内部に気体を充填してシート体２０を膨張させると共に、シート体２０を地盤面Ｅ上に転がしながら展開させて敷設する。
【００４８】
そして、膨張を終えたセル２６の各気道２５から気体を隣接するセル２６に流入させ、全てのセル２６を膨張させ、シート体２０を、マット状に展開させる。このように、巻回されたシート体２０に空気を充填することにより、シート体２０が転回して自走しながら展開する。このように、巻回されたシート体２０を気体により膨張させながら展開させることにより、地盤面Ｅに凹凸や起伏が存在してもシート体２０がそれらを乗り越えて自走させることができる。
【００４９】
シート体２０の長手方向の長さは、例えば、地盤面Ｅの略一辺の長さとなるように形成されている。作業者は、例えば、展開されたシート体２０を床下空間Ｓの地盤面Ｅの全体に敷設する。作業者は、展開されたシート体２０を少なくとも床下空間Ｓの周辺側、即ち建物の外部空間に露出している立上り部２ａの内側に沿って地盤面Ｅに敷設する。
【００５０】
この時、作業者は、展開されたシート体２０の位置が所定位置からずれている場合、床下換気口３から棒等を用いて押し込んだり、手繰り寄せたりしてシート体２０を所定位置に敷設する。マット状に展開されたシート体２０は、剛性が生じているため、作業者による建物の外部からの位置調整が容易に行われる。
【００５１】
作業者は、シート体２０の敷設後に吸気口２７からホースＨを外す。この時、吸気口２７は、必ずしも塞がれなくてもよい。即ちシート体２０は、吸気口２７から空気が抜けてカーペット状になってもよい。地盤面Ｅに既存の防湿土間コンクリートや、防湿シートが存在する場合には、これらをそのまま防湿手段として用いて、シート体２０の敷設を省略してもよい。
【００５２】
シート体２０の上には、建物の外部空間に接している立上り部２ａの内側（床下空間Ｓ側の壁）に沿って断熱部材３０が設置される。断熱部材３０は、後述のように、袋体３１の内部に断熱材３８を充填および圧入して形成される。
【００５３】
図５に示されるように、袋体３１は、チューブ状に形成されたポリエチレン製のシートの開口した両端を溶着して形成されている。袋体３１は、２枚の帯状のシートの四辺を溶着してチューブ形成されてもよいし、１枚のシートを折り曲げて周囲の三辺を溶着して形成されてもよい。袋体３１には、袋体３１の内部に気体と後述の断熱材を充填および圧入するための開口部３２が形成されている。
【００５４】
開口部３２には、断熱材を充填および圧入するためのホースＨ１が挿入される。開口部３２は、ホースＨ１の断面積よりも大きく開口するように形成されている。開口部３２は、床下換気口３の位置に対応する位置に設けられている。
【００５５】
袋体３１は、開口部３２から内部に気体や断熱材が充填および圧入された場合、円柱状に膨張する。袋体３１は、膨張時に例えば、直径が５００〜６００［ｍｍ］程度の略円柱状となる。袋体３１は、後述のように内部に断熱材が充填および圧入された状態で、立上り部２ａの内側に沿って設置される。膨張前の袋体３１は、帯状に潰れた状態となっている。袋体３１の長手方向の長さは、例えば、地盤面Ｅの一辺の長さとなるように形成されている。一辺の長さは、複数の袋体３１が長手方向に並べられた際に全長が地盤面Ｅの一辺の長さとなるように決定されていてもよい。
【００５６】
膨張前の袋体３１の長手方向の一辺には、例えば、長手方向に沿ってガイド棒Ｃが粘着テープＴ等を用いて取り付けられる。ガイド棒Ｃは、例えば、開口部３２が設けられた袋体３１の一辺側に取り付けられる。作業者は、例えば、床下換気口３の高さに合わせるように袋体３１を適宜畳んで、膨張前の袋体３１を床下換気口３からガイド棒Ｃと共に床下空間Ｓ内に、例えば矢印方向に沿って挿入する。そして、作業者は、袋体３１を床下空間Ｓの外周に沿うように配置する。
【００５７】
図６に示されるように、この配置工程において、作業者は、ガイド棒Ｃを立上り部２ａの内側に沿わせながら移動させ、袋体３１を立上り部２ａの内側に並置させる。この時、作業者は、適宜異なる方向の床下換気口３から棒等を用いてガイド棒Ｃを押し込んだり手繰り寄せたりして袋体３１の位置を調整する。
【００５８】
袋体３１は、直交する立上り部２aの内側に連続的に配置される。袋体３１は、一つまたは複数のものを配置してもよいし、小梁が存在する場合は小梁の位置で分割して複数のものを配置してもよい。
【００５９】
ガイド棒Ｃは、袋体３１に取り付けられたまま床下空間Ｓの中に残置される。袋体３１が配置された後、作業者は、床下換気口３から開口部３２を介して袋体３１の内部に送風装置（不図示）に接続されたホースＨ１を挿入する。その後、作業者は、送風装置を稼働させ、先ず空気のみを袋体３１の内部に送風し、袋体３１を膨張させる。
【００６０】
この時、作業者は、ガイド棒Ｃを保持する等して袋体３１が立上り部２ａの内側から隔離しないように袋体３１の位置を調整する。作業者は、棒の先に取り付けた３６０度の視界を撮像するカメラ等を用いて床下空間Ｓ内を撮影することで、袋体３１が適正な位置に配置されているか否かを確認することもできる。
【００６１】
次に、作業者は、流動性を有する断熱材を袋体の内部に流入させ、袋体を膨張させながら袋体３１の内部に断熱材を充填および圧入する。流動性を有する断熱材とは、例えば、空気等の気体と断熱材とが混合された混合気体である。ここで、断熱材は、例えば、ホースＨ１の内部を流動するような大きさの綿状繊維の小塊が用いられる。綿状繊維には、例えば、セルロースファイバー、ウッドファイバー、綿、羊毛、グラスウール、ロックウール等が用いられる。断熱材には、綿状繊維だけでなく、チップ状、ビーズ状の発泡樹脂等が用いられてもよい。
【００６２】
袋体３１の内部に断熱材を充填する際において、気体に水分が混合する場合がある。従って、断熱材は結露や凍結を防止するために、吸湿性および防湿性を有するものが望ましい。断熱材に吸湿性および防湿性が少ないものが用いられる場合、断熱材にシリカゲルや珪藻土等の吸湿性および調湿性を有する材料を混在させてもよい。
【００６３】
断熱材を充填する行程において、作業者は、ホースＨ１の先端を袋体３１の内部の端部の領域にまで到達するように配置する。その後、作業者は、送風装置を稼働させ、ホースＨ１の先端から袋体３１の内部に断熱材と気体との混合気体を送風して断熱材を袋体３１の端部から充填および圧入しながらホースＨ１を引き抜く方向に移動する。これにより、袋体３１の端部から断熱材を充填および圧入することができる。
【００６４】
作業者は、断熱材を充填する際に、袋体３１の開口部３２は、完全に塞がずに隙間を空けて空気を排出させる。空気を排出させるために、袋体３１には開口部３２の他に、別途に空気の排出口が設けられていてもよい。排出口は、袋体３１において開口部３２の近傍に設けてもよいし、他の位置に設けられていてもよい。
【００６５】
袋体３１は、断熱材が充填および圧入されるに従って重量が増加する。断熱材の重量の増加と共に、袋体３１の下部に位置する膨張したシート体２０のうち、袋体３１を載置している部分が潰れて空気が排出される。断熱材が充填および圧入された袋体３１は、例えば、地盤面Ｅと床スラブ１０の下面との間を塞ぐように突っ張って略円柱状に膨張する。袋体３１は、例えば、地盤面Ｅと床スラブ１０の下面との間に挟まれて必ずしも略円柱状に膨張しない場合がある。
【００６６】
作業者は、袋体３１の内部に断熱材を充填し終わった後、開口部３２からホースＨ１を引き抜き、開口部３２に粘着テープ等を張り付けて塞ぐ。上記工程により、略円柱状の断熱部材３０が立上り部２ａの内側に形成される。断熱部材３０は、弾力性を有するため、地盤面Ｅに段差が生じていたり、上方に梁等の部材が存在したりしていても形状が馴染む。そして、断熱部材３０は、膨張する過程で地盤面Ｅと床スラブ１０の下面に圧着するため、特に固定手段を設けなくてもずれが生じにくくなる。
【００６７】
断熱部材３０によれば、断熱部材３０と床スラブ１０との間に隙間があったり、経時変化により隙間が生じたりしても、隙間の間隔が狭い場合、隙間においては空気が対流しにくくなるため、断熱性の低下が抑制される。このようにして断熱部材３０を配置することにより、外部の空気に接している立上り部２ａと建物の外周壁との間の隙間からの外気の進入を防止し、建物の気密性を向上させることにより、建物の漏気による熱損失が低減される。断熱部材３０は、シート体２０の上に設置されるため、地盤面Ｅ等の突起等による損傷等から保護される。また、固定手段を設けないことにより、断熱部材３０の袋体３１に破損が生じにくくなり、内部に充填された断熱材が床下空間Ｓに吹き出す可能性が低減される。
【００６８】
図７に示されるように、直交する二辺の立上り部２ａの内側に配置された２つの袋体３１に順次、断熱材が充填および圧入され、断熱部材３０が形成される。この時、後に断熱材が充填および圧入される袋体３１は、先に断熱材が充填された方の袋体３１の状態にあわせて膨張する。既存の建物の形状によっては、断熱部材３０は、床下空間Ｓの外周辺に沿って完全に連続していない場合や、隙間の生じる場合もある。
【００６９】
次に、作業者は、床下換気口３に床下空間Ｓの空気を排出するための換気装置４０を設置する。換気装置４０は、例えば、建物の外部から床下換気口３に設置される。換気装置４０は、例えば、床下換気口３の開口の大きさにあわせて形成されている。換気装置４０は、例えば、床下空間Ｓの空気を建物の外部に強制排気するファン４１を備える。床下換気口３は、例えば、立上り部２ａや小梁で区切られた１つの単位の床下空間Ｓに対して少なくとも１つ設置される。
【００７０】
換気装置４０は、例えば、洗面所やトイレ等の非採暖室の下方に設置された床下換気口３に設置されることが好ましい。また、換気装置４０は、稼働中の運転音が気にならない場所に設けられることが好ましい。また、換気装置４０は、既存の電源（給湯器用の電源等）の近くに設けられることが好ましい。
【００７１】
換気装置４０は、全ての床下換気口３に設置する必要はなく、換気装置４０が設置されない他の床下換気口３には、外部から蓋４５が設置されて開口が塞がれる。作業者は、蓋４５の気密性を確保するために、例えば、居室内の床下点検口から床下空間Ｓに入り、蓋４５の裏側から発泡樹脂等を用いて床下換気口３を塞いでもよい。また、作業者は、換気装置４０もしくは蓋４５の周辺の気密性を確保するために、換気装置４０もしくは蓋４５と床下換気口３との間の隙間に発泡樹脂等を充填してもよい。また、これらの作業は、床下点検口から床下空間Ｓに入るのが困難な場合は、建物の外部から行われてもよい。
【００７２】
蓋４５の設置後、換気装置４０を稼働させる。換気装置４０と床下空間Ｓとの間が断熱部材３０で密閉されている場合、断熱部材３０を変形させて気道を確保してもよいし、床スラブ１０と断熱部材３０との間にパイプなどを挟んで気道を確保してもよい。また、断熱部材３０の施工時に床下換気口３の位置で断熱部材３０が分割されるように袋体３１を設置してもよい。
【００７３】
換気装置４０を稼働して床下空間Ｓの空気を建物の外部に排気すると、床下空間Ｓの気圧が低下すると共に、床スラブ１０の隙間から建物の居室内の空気が床下空間Ｓに供給される。そうすると建物の居室内の気圧は、外部の気圧に比して低下するので、建物の換気口や隙間から外部の空気が居室内に供給される。このようにして換気装置４０が稼働することにより、建物内の空気の換気が行われる。
【００７４】
また、換気装置４０の稼働により、建物内の空気を換気することの他に、居室内の空調された空気を床下空間に導入して床下の空気の温度を居室内の空気の温度に近づけることができる。
【００７５】
即ち、換気装置４０が稼働することにより、例えば、冬場においては床下空間Ｓに空調された居室内の空気が導入され、床下空間Ｓ内の空気が暖められる。床下空間Ｓ内の空気は、周囲が断熱部材３０により断熱されているため、冷えにくくなる。これにより、床下空間Ｓ内の温度が上昇し、床スラブ１０に床下空間Ｓの空気の熱が伝導して居室内の床面の温度が断熱部材３０や換気装置４０を設置していない状態に比して上昇し、床面を快適な温度に保つことができる。
【００７６】
特に、上述のように洗面所やトイレ等の非採暖室の下部の床下換気口３に換気装置４０が設置されるため、洗面所やトイレの床面の温度が快適に保たれる。また、換気装置４０により居室内で空調された空気を床下空間Ｓに導入するため、湿気が床下空間Ｓに溜まることで発生する余剰な水分により床下空間が高湿度環境に長時間保持されることが防止される。上述したように、シート体２０、断熱部材３０、および換気装置４０を設置する工程により、既存の建物の基礎の床下空間Ｓに断熱構造が施工される。
【００７７】
上述したように、床下空間の断熱方法によれば、建物の外部から布基礎２に設けられた床下換気口３から断熱部材３０を床下空間Ｓに設置するため、居室内に影響を与えずに床下空間の断熱の施工を行うことができる。即ち、床下空間の断熱方法によれば、建物の居住者に負担を与えず、居室内を汚すことが無く、居室内を養生する必要が無く、居住者が不在でも施工することが可能となる。また、断熱部材３０は、袋体３１の内部に断熱材が充填されているため、断熱材を入れ替える施工を行う際に回収が容易となる。
【００７８】
本発明の技術範囲は、上述した各実施形態に限定されるものではなく、本発明の趣旨を逸脱しない範囲において、上述した実施形態に種々の変更を加えたものを含む。例えば、床下空間の断熱方法に用いられる断熱材には、シロアリ等の害虫を駆除するための防虫剤を混入させてもよい。また、夏場に換気装置４０のファン４１を逆回転させることにより、床下空間Ｓの地盤面Ｅの地熱により冷やされた空気を居室内に導入するようにしてもよい。また、上記床下空間の断熱方法は、既存の建物に施工する場合を例示したが新築の建物に適用してもよい。
【符号の説明】
【００７９】
１…基礎、２…布基礎、２ａ…立上り部、２ｂ…フーチング部、３…床下換気口、３ａ…格子、１０…床スラブ、２０…シート体、２１、２２…シート、２４…溶着部、２５…気道、２６…セル、２７…吸気口、３０…断熱部材、３１…袋体、３２…開口部、３８…断熱材、４０…換気装置、４１…ファン、４５…蓋、Ｂ…ブロワ、Ｃ…ガイド棒、Ｅ…地盤面、Ｈ、Ｈ１…ホース、Ｓ…床下空間、Ｔ…粘着テープ
【図１】
2020033809.tif 000003
【図２】
2020033809.tif 000004
【図３】
2020033809.tif 000005
【図４】
2020033809.tif 000006
【図５】
2020033809.tif 000007
【図６】
2020033809.tif 000008
【図７】
2020033809.tif 000009